【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  シート形状のウェブストック材料と、
該ウェブストック材料内のキャビティと、
該キャビティ内に少なくとも部分的に含まれる情報伝達デバイスと、
該キャビティ内で少なくとも部分的に該情報伝達デバイスを保持する手段と
を備え、
該ウェブストック材料は、比較的容易に変形される材料と変形するのが比較的困難な材料とを含む共有押出し成形を備え、
該キャビティは、比較的容易に変形される材料の押し出し部を備え、
該比較的容易に変形される材料は、泡を備える、ウェブストック情報伝達デバイス。
【請求項２】  開口部を有する第１のウェブストック材料と、
該開口部を少なくとも部分的に覆う１つの表面に対して比較的に近位で該ウェブストック材料に対して接着されたシート材料と、
該開口部内にある情報伝達デバイスの第１の部分と、
該開口部を少なくとも部分的に覆う他方の表面に対して比較的に近位で該ウェブストック材料に対して接着されたフィルムと、
該開口部の外側にある該情報伝達デバイスの第２の部分であって、情報伝達機能のために該第１の部分と協働するように配置された該情報伝達デバイスの第２の部分と
を備え、
該ウェブストック材料および該シート材料は、共有押出し成形プロセスによって生成される材料を備え、
該ウェブストック材料は、泡状材料を備える、ウェブストック情報伝達デバイス。
【請求項３】  前記キャビティは、前記比較的容易に変形される材料の表面で開いており、
前記保持する手段は、該表面の該キャビティを覆う材料層を備える、請求項１に記載のデバイス。
【請求項４】  前記キャビティは、前記比較的容易に変形される材料の表面で開いており、
前記保持する手段は、前記ウェブストック材料の一方の表面における穴の少なくとも一部分を覆う更なる材料層を備える、請求項１に記載のデバイス。
【請求項５】  前記情報伝達デバイスは、２つの金属部を有する音響−磁気デバイスを備え、１つは前記キャビティ内の少なくとも一部分にあり、もう一方は前記第１の部分から分離されている、請求項３に記載のデバイス。
【請求項６】  前記更なる材料層は、前記２つの金属部間に絶縁された間隔を提供するように該２つの金属部に相対的に配置されている、請求項５に記載のデバイス。
【請求項７】  前記更なる材料層は、前記キャビティに面する第１の表面と、該キャビティから離れて面する第２の表面とを有し、該第２の金属部は、該第２の表面と係合して保持される、請求項６に記載のデバイス。
【請求項８】 前記ウェブストックデバイスの少なくとも１つの表面上に印刷物をさらに含む、請求項７に記載のデバイス。
【請求項９】  前記更なる材料層上のカバーをさらに含み、該カバーが印刷され得る、請求項７に記載のデバイス。
【請求項１０】 前記情報伝達デバイスは、音響−磁気デバイスを備える、請求項１に記載のデバイス。
【請求項１１】 前記情報伝達デバイスは、無線周波数デバイスを備える、請求項１に記載のデバイス。
【請求項１２】 前記情報伝達デバイスは、電源を有する能動素子を備える、請求項１に記載のデバイス。
【請求項１３】 前記保持する手段は、前記変形するのが比較的困難な材料を備える、請求項１に記載のデバイス。
【請求項１４】 前記ウェブストック材料は、平坦で薄く、かつ、ラベルの形状である、請求項１に記載のデバイス。
【請求項１５】 前記ウェブストック材料は、下げ札の形状である、請求項１４に記載のデバイス。
【請求項１６】 前記ウェブストックデバイスは、インクまたは他の印刷を保持し得る表面を含む、請求項１４に記載のデバイス。
【請求項１７】  前記情報伝達デバイスの前記第２の部分上のカバー材料をさらに備える、請求項２に記載のウェブストック。
【請求項１８】 前記カバー上に印刷物をさらに備える、請求項１７に記載のウェブストック。
【請求項１９】 前記情報伝達デバイスの前記部分の少なくとも１つは、選択的に磁化可能であり、かつ、選択的に消磁可能である、請求項２に記載のウェブストック。
【請求項２０】 磁化された場合の前記情報伝達デバイスは、検出可能な応答を供給するための付随電磁気信号に応答する、請求項２に記載のウェブストック。
【請求項２１】 前記フィルムおよび前記ウェブストック材料が共に積層されている、請求項２に記載のデバイス。
【請求項２２】 請求項２に記載の前記デバイスを備えた下げ札。
【請求項２３】 前記デバイス内の固定開口部と、
該固定開口部に結合されたファスナーであって、前記下げ札をオブジェクトに固定するファスナーと
をさらに備えた、請求項２２に記載の下げ札。
【請求項２４】 材料と、
該材料と共に配置された請求項２に記載のウェブストックと
を備えた、オブジェクト。
【請求項２５】 第１の材料の第１の層と、
第２の材料の第２の層と、
第３の層と、
該第２の層の押し出し部を備える、該第２の層内部のキャビティまたは開口部と、
少なくとも一部分が該キャビティまたは該開口部の内部にある情報伝達デバイスと
を備え、
該第２の層は、該第１の層と該第３の層との間にあり、該第１の材料は、該第２の材料と異なり、
該第１の層および該第２の層は、共有押出し成形を備え、
該第２の材料は、泡状材料を備える、ウェブストックデバイス。
【請求項２６】 前記第２の層は、非押し出し部を含む、請求項２５に記載のウェブストックデバイス。
【請求項２７】 前記情報伝達デバイスは、在庫情報伝達デバイスまたは盗難防止情報伝達デバイスである、請求項２５に記載のウェブストックデバイス。
【請求項２８】 シート形状のウェブストック材料と、
該ウェブストック材料内のキャビティと、
該キャビティ内に少なくとも部分的に含まれる情報伝達デバイスと、
該キャビティ内で少なくとも部分的に該情報伝達デバイスを保持する手段と
を備え、
該ウェブストック材料は、比較的容易に変形される材料と変形するのが比較的困難な材料とを含む共有押出し成形を備え、
該キャビティは、比較的容易に変形される材料の押し出し部を備える、ウェブストック情報伝達デバイス。
【請求項２９】 変形するのが比較的困難な材料および比較的容易に変形される材料の共有押出し成形であって、該比較的容易に変形される材料内に開口部を有する共有押出し成形と、
該開口部を少なくとも部分的に覆う１つの表面に対して比較的に近位で前記ウェブストック材料に対して接着されたシート材料と、
該開口部内にある情報伝達デバイスの第１の部分と、
該開口部の外側にある該情報伝達デバイスの第２の部分であって、情報伝達機能のために該第１の部分と協働するように配置された該情報伝達デバイスの第２の部分と
を備えた、ウェブストック情報伝達デバイス。
【請求項３０】 複数の層を有する共有押出し成形されたシート材料であって、該複数の層の１つの層の内部にあるキャビティは、一方の側面が該複数の層の他の層によって覆われており、かつ、他方の側面も覆われており、情報伝達デバイスの少なくとも一部分がキャビティ内部にある、シート材料を備え、
該共有押出し成形されたシート材料は、２つの材料層を備え、
第１の層は、第２の層よりも比較的容易に変形可能であり、
該キャビティは、該第１の層の変形された部分を備える、情報伝達デバイス。
【請求項３１】 前記第２の層は、前記キャビティの一方の側面に近接している保護被覆を提供する、請求項３０に記載のデバイス。
【請求項３２】 比較的容易に変形可能な材料の第１の層と、該第１の層の１つの側面を保護している比較的完全な材料の第２の層とを有するマルチレイヤーのシート材料であって、該比較的容易に変形可能な材料は、該比較的完全な材料の該第２の層に対して比較的容易に変形可能である、マルチレイヤーのシート材料と、
比較的容易に変形可能な材料の該第１の層の内部にあるキャビティであって、該第１の側面では閉じており、かつ、他方の側面では開いているキャビティと、
少なくとも一部分が該キャビティの内部にある情報伝達デバイスと、
該キャビティの開いている側面の少なくとも一部分の上のカバーと
を備え、
比較的容易に変形可能な材料の該第１の層は泡状材料である、情報伝達デバイス。